(57)【要約】【課題】シャフトの素材に左右されにくく、該シャフトに矢羽根を確実に接着して容易に剥離しにくく、耐久性を向上できるとともにデザイン性に優れた弓道用の矢を提供する。【解決手段】シャフト１２の矢羽根取付け位置でシャフト１２外周に巻き付けて片面が接着される合成樹脂製接着下地テープ１４と、シャフト１２の周方向等間隔位置で接着下地テープ１４の上に基部２４を接着して取り付けられる矢羽根本体１６と、を含む弓道用の矢１０から構成される。【選択図】図１
0003212362.tif 000002
【実用新案登録請求の範囲】
【請求項１】
シャフトの矢羽根取付け位置でシャフト外周に巻き付けて片面が接着される合成樹脂製接着下地テープと、
シャフトの周方向等間隔位置で接着下地テープの上に基部を接着して取り付けられる矢羽根本体と、を含むことを特徴とする弓道用の矢。
【請求項２】
接着下地テープは、１回巻き付けでシャフトの全周ちょうどに接着されるようにシャフトの周方向長さと略同一長さを一辺に有するシート体からなることを特徴とする請求項１記載の弓道用の矢。
【請求項３】
シート体は、矩形状のシート体であることを特徴とする請求項２記載の弓道用の矢。
【請求項４】
接着下地テープの少なくとも非接着側面には、文字、図形、模様又はこれらの結合により施した装飾表示部を有することを特徴とする請求項１又は３記載の弓道用の矢。
【考案の詳細な説明】
【技術分野】
【０００１】
本考案は、矢羽根がシャフトから容易に剥離することがなく、耐久性が高い弓道用の矢に関する。
【背景技術】
【０００２】
弓道は、高校生、大学生、社会人など広い層で人気があり、競技人口も十数万人を超えるといわれている。弓道に用いられる矢は、例えば矢竹材で形成したシャフト[箆]（の）の一端に鏃（やじり）を、他端に弓に番える矢筈（やはず）を設け、矢筈寄りのシャフト外周部分に複数の矢羽根を取り付けて飛翔方向を制御させるようにしている。弓道用の矢は、伝統的な矢竹を用いたものなどがあるが、近時ではジュラルミンシャフトあるいはカーボンシャフトを用いた矢が使用される割合が増加している。弓道用の矢に取付けられている矢羽根は矢の飛翔能力を大きく左右する重要な部位であるが、従来、シャフトに矢羽根を取り付ける場合には、例えば、鷲、鷹、七面鳥、白鳥等の鳥の羽根を所定形状にトリミングし、羽根の比較的硬い羽軸を基部として、シャフトの外面にエポキシ樹脂等の接着剤を用いて取り付けられていた。
【０００３】
一方、本出願人は、特許文献２において矢の製造を自動化する矢の加工装置を提案している。特許文献２の矢の加工装置は、所定長さのシャフトを軸周り回転させながら支持する回転支持手段と、シャフトの一端側寄りに所要の軸方向間隔で矢羽根取付け表示線の表示位置を設定する表示位置設定手段と、表示位置設定手段で設定された位置に所要の軸方向間隔で複数の外周線を表示させる罫書き表示手段と、シャフト表面を非接触で処理する放電表面処理手段と、を含み、高効率、短時間で矢羽根をシャフトに取付加工することができるものである。
【先行技術文献】
【特許文献】
【０００４】
【特許文献１】特許第５５４３４１０号公報
【考案の概要】
【考案が解決しようとする課題】
【０００５】
しかしながら、弓道用の矢の製作において、矢羽根をシャフトに取付ける工程では、矢羽根の基部は細長く接着面積が小さい上に、シャフトの素材がジュラルミン等のアルミニウム合金や炭素繊維強化樹脂などのパイプ材の場合には滑面状の外面を有しているので、そのままでは矢羽根とシャフト外面との接着性が弱く、矢羽根を強固に接着できず、耐久性に劣り容易に剥離してしまう等の問題があった。また、特許文献１の矢の加工装置では、プラズマによる放電表面処理でシャフト表面を処理することによって矢羽根の接着強度を大きくすることから、例えば、シャフトがアルミニウム合金製の場合には放電表面処理して矢羽根の接着性を有効に向上することができるが、シャフトが炭素繊維強化樹脂製等の熱に弱い素材で形成されている場合には、プラズマによる表面処理が困難ないし不可能な場合があり、処理対象の素材が限定されてしまう問題があった。さらに、近時では、弓道用の矢についてもデザイン性が求められており、例えば、シャフトに文字や、カラフルな色、模様等の装飾が施される場合があるが、シャフトが細長い円筒形状であるので、文字や模様等の加工がしにくい場合が多かったり、煩雑で高価となったりしてしまうおそれがあった。
【０００６】
本考案は、上記従来の課題に鑑みてなされたものであり、その一つの目的は、シャフトの素材に左右されにくく、該シャフトに矢羽根を確実に接着して容易に剥離しにくく、耐久性を向上できるとともにデザイン性に優れた弓道用の矢を提供することにある。
【課題を解決するための手段】
【０００７】
上記課題を解決するために本考案は、シャフト１２の矢羽根取付け位置でシャフト１２外周に巻き付けて片面が接着される合成樹脂製接着下地テープ１４と、シャフト１２の周方向等間隔位置で接着下地テープ１４の上に基部２４を接着して取り付けられる矢羽根本体１６と、を含む弓道用の矢１０から構成される。
【０００８】
また、接着下地テープ１４は、１回巻き付けでシャフト１２の全周ちょうどに接着されるようにシャフト１２の周方向長さと略同一長さを一辺Ｗに有するシート体１５からなることとしてもよい。
【０００９】
また、シート体１５は、矩形状のシート体であることとしてもよい。
【００１０】
また、接着下地テープ１４の少なくとも非接着側面には、文字、図形、模様又はこれらの結合により施した装飾表示部２６を有することとしてもよい。
【考案の効果】
【００１１】
本考案の弓道用の矢によれば、シャフトの矢羽根取付け位置でシャフト外周に巻き付けて片面が接着される合成樹脂製接着下地テープと、シャフトの周方向等間隔位置で接着下地テープの上に基部を接着して取り付けられる矢羽根本体と、を含むことから、矢羽根本体を接着下地テープを介して接着するので、シャフトの素材に左右されにくく、該シャフトに矢羽根本体を確実に取り付けることができ、容易に矢羽根本体が剥離しにくく、耐久性を向上できるとともに、製造コストを安くできる。同時に、シャフトの周方向等間隔に取付けられる矢羽根本体どうしの間から接着下地シールの表面が見えるので、接着下地テープによりデザイン性を向上できるうえ、シャフトと接着下地テープとの組み合わせを自由して、多種多様の優れたデザインの弓道用の矢を提供できる。
【００１２】
また、接着下地テープは、１回巻き付けでシャフトの全周ちょうどに接着されるようにシャフトの周方向長さと略同一長さを一辺に有するシート体からなる構成とすることにより、シャフトに隙間なく巻き付けられて、矢羽根本体の確実な接着を行えると同時に矢羽根本体どうしの間の接着下地テープによるデザインも損なうことがない。
【００１３】
また、シート体は、矩形状のシート体である構成とすることにより、シンプルな構造でシャフトに巻き付けによる接着工程も簡単に行うことができ、安価な接着下地テープを具体的に実現できる。
【００１４】
また、接着下地テープの少なくとも非接着側面には、文字、図形、模様又はこれらの結合により施した装飾表示部を有する構造とすることにより、より多種多様の優れたデザイン性の矢を製造できるとともに、簡単な加工で安価にデザイン性を向上することができる。
【図面の簡単な説明】
【００１５】
【図１】本考案の第１の実施形態に係る弓道用の矢の説明図である。
【図２】図１の弓道用の矢のＡ−Ａ矢視説明図である。
【図３】図１の弓道用の矢を構成する接着下地テープの説明図である。
【図４】図２の接着下地テープの側面図である。
【図５】図１の弓道用の矢の製造工程の説明図である。
【図６】本考案の第２の実施形態に係る弓道用の矢の説明図である。
【図７】図６の弓道用の矢を構成する接着下地テープの説明図である。
【考案を実施するための形態】
【００１６】
以下、添付図面を参照しつつ本考案の弓道用の矢の実施の形態について説明する。本考案の弓道用の矢は、例えば、競技や演技等の際に弓で射られる弓道用の矢である。図１ないし図５は、本考案に係る弓道用の矢の第１の実施形態を示している。図１、図２、図３に示すように、弓道用の矢１０は、一端に鏃が他端に矢筈が設けられるシャフト１２と、接着下地テープ１４と、矢羽根本体１６と、を備えている。
【００１７】
図１、図２に示すように、本実施形態では、シャフト１２は、矢の本体部分であり、例えば、従来周知のものと同様のものからなり、炭素繊維強化樹脂（カーボン）等の素材で一方に細長く直線状の中空円筒状パイプからなる。パイプ状のシャフト１２の一端に、矢の先端となる鏃１８が設けられているとともに、他端側に弓弦を掛けるための矢筈２０が固定されている。シャフト１２の他端側、すなわち矢筈２０が取り付ける端部側寄りの位置には、複数の矢羽根本体１６が取り付けられる。図５（ａ）にも示すように、シャフト１２の矢羽根本体１６の取付け位置や矢羽根１６の基部の端部を固定する矧の位置を定めるための複数の罫書き線２２が記載されている。なお、シャフト１２は、例えば、黒、金、銀等の任意の色で形成されている。
【００１８】
図２、図３、図４に示すように、接着下地テープ１４は、例えば、耐候性が高いポリ塩化ビニル等の合成樹脂製のフィルム材からなり、外面側となる一つの表面１４ａには粘着層を有さず、他の片面にのみ粘着剤による接着層１４ｂを一体的に形成される片面テープ体である。接着下地テープ１４は、シャフト１２の矢羽根取付け位置で、該シャフトの外周に巻き付けて片面が接着される。すなわち、接着下地テープ１４は、シャフト１２の外面に貼付されるテープ材であり、矢羽根本体１６の基部よりも広く広がる接着面積を確保しつつシャフト１２の外周に巻き付けられた状態で、該テープの表面１４ａを矢羽根本体１６を接着させることとなり、シャフト１２上で矢羽根本体１６を接着するための下地材として機能する。本実施形態では、接着下地テープ１４は、例えば、白、黒、赤、青、金、銀等その他任意の色で表面全体が一色に色付けされた有色不透明の矩形状のシート体からなる。なお、本実施形態では、説明のために、図１、図５上では、接着下地テープ１４を一点鎖線の平行斜線で示している。接着下地テープ１４は、例えば、帯状に一方に長い矩形状に形成されており、長辺長さがシャフト１２の矢羽根本体１６の取付け長さｌｇ（図５（ａ）参照）に設定されている。同時に、接着下地テープ１４の短辺長さＷが、シャフトへの１回巻き付けでシャフトの全周ちょうどに接着されるようにシャフト１２の周方向長さｒ（シャフトの断面円形の円周長さ）と略同一長さに設定されている。これにより、接着下地テープ１４は、シャフトに隙間なく巻き付けられるとともに、段差や厚みが異なる部分がなく構成でき、矢羽根本体１６を接着するための好適な下地となりうる。なお、接着下地テープ１４は、例えば、シャフトに接着前段階で上記の大きさで形成する際に、粘着剤が形成された接着側面にゴミ等が付着しないように剥離紙を付けておき、弓道用の矢の製作段階で剥離紙を剥がしてシャフト１２に接着することとしてもよい。また、必要に応じて、シャフトに接着前の接着下地テープ１４の非接着側面側に転写シールを貼っておくこととしてもよい。転写シールを利用して接着下地テープ１４をシャフト１２に巻き付ける際に、皺等なく良好に巻き付けることができる。また、接着下地テープ１４は、例えば、無色透明や有色透明、蛍光色等のシート体からなることとしてもよい。
【００１９】
図１、図２に示すように、矢羽根本体１６は、シャフト１２の周方向等間隔位置で接着下地テープ１４の上に基部２４を接着して取り付けられる。矢羽根本体１６は、例えば、従来周知のものでよく、鷲、鷹、七面鳥、白鳥等の鳥の羽根を所定形状にトリミングして形成される。矢羽根本体１６は、羽根の比較的硬い羽軸をシャフトの円周表面に対応した凹形状に加工して、シャフト側に固定される基部２４が形成されている。矢羽根本体１６は、基部２４の凹部に例えばエポキシ樹脂等の接着剤が塗布されて、３枚が１２０度間隔でシャフトの周方向に等間隔で接着される。本実施形態のようにシャフト１２の素材が、表面が円滑面となっているカーボン製であっても、上記のように合成樹脂製の接着下地テープ１４を巻き付けて該テープ１４の表面に接着剤で接着する構造であるので、接着性が良く、強固に矢羽根本体が取り付けられる。さらに矢羽根本体１６の基部２４の鏃側の端部側及び矢筈側の端部側は、それぞれ矧ぎ糸等が取り付けられて矢羽根本体１６は強固に固定される。
【００２０】
本実施形態に係る弓道用の矢１０を製造する際には、例えば、図５（ａ）に示すように、シャフト１２に矢羽根本体１６の取付け位置等に応じて罫書き線２２を記載する。図５（ｂ）に示すように、接着下地テープ１４をシャフト１２の罫書き線２２に合わせて矢羽根本体１６の取付け位置に巻き付けて接着層１４ｂによって接着する。この際、例えば、接着下地テープ１４の接着側面１４ｂの一つの長辺側端部をシャフト１２の外面に接着し、シャフト１２を軸回り回転させながら該接着下地テープ１４を巻き付けて接着するとよい。次に、図５（ｃ）に示すように、シャフト１２の周方向等間隔位置で接着下地テープ１４を接着した部分に、該接着下地テープ１４の表面１４ａの上に矢羽根本体１６をエポキシ樹脂等の接着剤で接着する。必要に応じて、矧糸等を巻き付けたりして矢羽根本体１６を強固に固定する。図５（ｄ）で、シャフト１２に矢筈２０を取り付けて、矢が完成する。このようにして、シャフト１２の外周に矢羽根本体１６を接着するための下地となるテープを巻き付けることにより、シャフトの素材が矢羽根本体１６を接着しにくい素材であっても強固に矢羽根本体１６を接着することができる。また、シャフト１２をプラズマ放電処理や薬品処理等の特殊な処理を施す必要がないので、シャフトの素材が限定されにくく、安価で簡単な工程で矢羽根本体の取付け強度が高く、耐久性の高い弓道用の矢を提供できる。さらに、例えば、接着下地テープ１４の色をシャフト１２の色と異なるものにすれば、矢羽根本体１６の取付け位置部分において複数の矢羽根本体１６どうしの間の非接着側面から異なる色が見えることとなり、デザイン性を向上することができる。すなわち、シャフト１２と接着下地テープと矢羽根本体１６の組み合わせで、多種多様のデザインの矢を製作でき、オリジナリティの高い弓道用の矢を簡単に提供することができる。
【００２１】
次に、図６、図７を参照しつつ本考案の弓道用の矢及び接着下地テープの第２の実施形態について説明する。上記した第１実施形態と同一構成、同一部材には、同一符号を付し、その詳細な説明は省略する。本実施形態では、弓道用の矢１０−２は、接着下地テープ１４と、矢羽根本体１６と、を有するが、接着下地テープ１４が上記実施形態と異なっている。図７、図８に示すように、接着下地テープ１４の表面１４ａには、例えば、梵字等の文字により施された装飾表示部２６が設けられている。装飾表示部２６は、例えば、片面に粘着剤が形成されたフィルム体を文字の形に切り取り、接着下地テープ１４の非接着側面上に張り付けることにより形成されている。なお、装飾表示部２６は、接着下地テープに印刷したり、接着下地テープに凹凸や切り込み等を入れて形成してもよい。接着下地テープ１４に装飾表示部２６を施す工程は、例えば、接着下地テープの平らにした状態で貼り付けや印刷等で形成することができるので、曲面状のシャフトに直接加工するよりも、簡単に製作することができる。装飾表示部２６は、矢羽根本体１６が取り付けられるとその基部２４で一部が覆われる。また、装飾表示部２６は、梵字のみに限らず、例えば、文字、図形、模様又はこれらの結合により施したものでもよい。装飾表示部２６は、少なくとも接着下地テープ１４の表面の矢羽根本体が接着されいない側面部分、すなわち複数の矢羽根本体１６どうしの間の該矢羽根本体が接着されていない非接着側面部分に施されているとよい。本実施形態では、弓道用の矢１０−２は、矢羽根本体１６が取り付けられているシャフト１２の部分について、矢羽本体１６どうしの間の非接着側面から接着下地テープ１４の色及びその表面に施された装飾表示部２６としての梵字の一部が見えることとなり、デザイン性が良い。すなわち、本実施形態では、矢羽根本体の取付け強度が高い等の上記実施形態同様の作用効果を奏し得ると同時に、簡単な工程の追加で、よりデザイン性を向上した弓道用の矢を提供することができる。
【００２２】
以上説明した本考案の弓道用の矢は、上記した実施形態のみの構成に限定されるものではなく、実用新案登録請求の範囲に記載した本考案の本質を逸脱しない範囲において、任意の改変を行ってもよい。
【産業上の利用可能性】
【００２３】
本考案の弓道用の矢は、例えば、競技や演技等で好適に利用できる。
【符号の説明】
【００２４】
１０    弓道用の矢
１２    シャフト
１４    接着下地テープ
１６    矢羽根
１８    鏃
２０    矢筈
２２    罫書き線
２４    基部
２６    装飾表示部
【図１】
0003212362.tif 000003
【図２】
0003212362.tif 000004
【図３】
0003212362.tif 000005
【図４】
0003212362.tif 000006
【図５】
0003212362.tif 000007
【図６】
0003212362.tif 000008
【図７】
0003212362.tif 000009